(57)【要約】【課題】利用者の健康管理を支援する上で、保健指導者の負担を軽減しながら利用者の状況に応じた保健指導を実現する。【解決手段】利用者の健康管理を支援する健康管理支援システムは、端末コンピュータと、管理サーバとを備える。端末コンピュータは、生体情報を取得する生体情報取得部と；行動情報を取得する行動情報取得部と；生体情報および行動情報を管理サーバに送信する端末情報送信部とを含む。管理サーバは、端末コンピュータから送信される生体情報および行動情報を蓄積する取得情報データベース部と；利用者の健康管理に関する複数の管理項目ごとに評価基準を設定する評価基準設定部と；生体情報および行動情報と、評価基準とに基づいて、複数の管理項目ごとに評価メッセージを選定する評価選定部と；複数の管理項目ごとの評価メッセージの表示を端末コンピュータに対して指示する表示指示部とを含む。【選択図】図１６
2019168957.tif 000002
【特許請求の範囲】
【請求項１】
利用者の健康管理を支援する健康管理支援システムであって、
前記利用者によって操作可能に構成された端末コンピュータと、
前記端末コンピュータとコンピュータネットワークを介してデータをやり取り可能に構成された管理サーバと
を備え、
前記端末コンピュータは、
前記利用者の生体情報を検知する生体情報検知装置から近距離無線通信を介して前記生体情報を取得する生体情報取得部と、
前記利用者からの操作入力に基づいて、利用者の行動を示す行動情報を取得する行動情報取得部と、
前記生体情報取得部によって取得される前記生体情報、および、前記行動情報取得部によって取得される前記行動情報を、前記管理サーバに送信する端末情報送信部と
を含み、
前記管理サーバは、
前記端末コンピュータから送信される前記生体情報および前記行動情報を蓄積する取得情報データベース部と、
前記利用者の健康管理に関する複数の管理項目ごとに評価基準を設定する評価基準設定部と、
前記取得情報データベース部に蓄積されている所定期間に取得された前記生体情報および前記行動情報と、前記複数の管理項目ごとの前記評価基準とに基づいて、前記複数の管理項目ごとに前記所定期間における前記利用者による健康管理に対する取り組みを評価する評価メッセージを選定する評価選定部と、
前記複数の管理項目ごとの前記評価メッセージを前記利用者が認識可能に、前記複数の管理項目ごとの前記評価メッセージの表示を前記端末コンピュータに対して指示する表示指示部と
を含む、健康管理支援システム。
【請求項２】
請求項１に記載の健康管理支援システムであって、
前記管理サーバの前記評価選定部は、前記取得情報データベース部に蓄積されている所定期間に取得された前記生体情報および前記行動情報と、前記複数の管理項目ごとの前記評価基準とに基づいて、前記複数の管理項目ごとに前記評価メッセージを選定するとともに、前記複数の管理項目ごとに前記評価メッセージに応じたキャラクタ画像を選定し、
前記管理サーバの前記表示指示部は、前記複数の管理項目ごとの前記評価メッセージおよび前記キャラクタ画像を前記利用者が認識可能に、前記複数の管理項目ごとの前記評価メッセージおよび前記キャラクタ画像の表示を前記端末コンピュータに対して指示する、健康管理支援システム。
【請求項３】
請求項１または請求項２に記載の健康管理支援システムであって、
前記生体情報取得部に前記生体情報を提供する前記生体情報検知装置は、体組成計、血圧計および活動量計の少なくとも一つを含む、健康管理支援システム。
【請求項４】
請求項１から請求項３までのいずれか一項に記載の健康管理支援システムであって、
前記行動情報取得部によって取得される前記行動情報は、前記利用者による食生活の行動を示す情報を含む、健康管理支援システム。
【請求項５】
請求項１から請求項４までのいずれか一項に記載の健康管理支援システムであって、
前記複数の管理項目は、
前記生体情報および前記活動情報が記録された記録頻度を管理する第１の管理項目と、
前記利用者の歩数を管理する第２の管理項目と、
前記利用者の身体活動量を管理する第３の管理項目と、
前記利用者の食生活を管理する第４の管理項目と、
前記利用者の体重を管理する第５の管理項目と、
前記利用者の血圧を管理する第６の管理項目と、
前記複数の管理項目のうち他の管理項目を総合的に管理する第７の管理項目と
の少なくとも２つの管理項目を含む、健康管理支援システム。
【請求項６】
請求項１から請求項４までのいずれか一項に記載の健康管理支援システムであって、
前記管理サーバの前記評価基準設定部は、前記複数の管理項目のうち少なくとも１つの管理項目に関する評価基準を、前記取得情報データベース部に蓄積されている前記生体情報および前記行動情報の少なくとも一方に基づいて設定する、健康管理支援システム。
【請求項７】
利用者の健康管理を支援する健康管理支援システムにおいて、前記利用者によって操作可能に構成された端末コンピュータであって、
前記利用者の生体情報を検知する生体情報検知装置から近距離無線通信を介して前記生体情報を取得する生体情報取得部と、
前記利用者からの操作入力に基づいて、利用者の行動を示す行動情報を取得する行動情報取得部と、
前記生体情報取得部によって取得される前記生体情報、および、前記行動情報取得部によって取得される前記行動情報を、前記端末コンピュータとコンピュータネットワークを介してデータをやり取り可能に構成された管理サーバに、送信する端末情報送信部と、
所定期間に取得された前記生体情報および前記行動情報と、前記利用者の健康管理に関する複数の管理項目ごとに設定された評価基準とに基づいて前記管理サーバによって選定された、前記複数の管理項目ごとに前記所定期間における前記利用者による健康管理に対する取り組みを評価する評価メッセージを、前記管理サーバの指示に応じて表示する評価表示部と
を備える端末コンピュータ。
【請求項８】
利用者の健康管理を支援する健康管理支援システムにおいて、利用者によって操作可能に構成された端末コンピュータとコンピュータネットワークを介してデータをやり取り可能に構成された管理サーバであって、
前記利用者の生体情報を検知する生体情報検知装置から近距離無線通信を介して前記端末コンピュータによって取得された前記生体情報、および、前記利用者からの操作入力に基づいて前記端末コンピュータによって取得された利用者の行動を示す行動情報を、前記コンピュータネットワークを介して前記端末コンピュータから取得する情報取得部と、
前記情報取得部によって取得された前記生体情報および前記行動情報を蓄積する取得情報データベース部と、
前記利用者の健康管理に関する複数の管理項目ごとに評価基準を設定する評価基準設定部と、
前記取得情報データベース部に蓄積されている所定期間に取得された前記生体情報および前記行動情報と、前記複数の管理項目ごとの前記評価基準とに基づいて、前記複数の管理項目ごとに前記所定期間における前記利用者による健康管理に対する取り組みを評価する評価メッセージを選定する評価選定部と、
前記複数の管理項目ごとの前記評価メッセージを前記利用者が認識可能に、前記複数の管理項目ごとの前記評価メッセージの表示を前記端末コンピュータに対して指示する表示指示部と
を備える管理サーバ。
【発明の詳細な説明】
【技術分野】
【０００１】
本明細書は、健康管理支援システム、端末コンピュータおよび管理サーバを開示する。
【背景技術】
【０００２】
生活習慣病の予防および治療には、生活習慣の改善が重要である。しかしながら、長年続けてきた生活習慣を変えることは容易ではない。そこで、利用者の健康管理を支援する種々のシステムが提案されている。
【０００３】
特許文献１には、患者用端末装置と医療従事者用端末装置とを管理サーバを介して接続するシステムが開示されている。特許文献１のシステムは、患者用端末装置から管理サーバを介して医療従事者用端末装置に患者の測定データを転送し、医療従事者用端末装置から管理サーバを介して患者用端末装置に医療従事者によるアドバイスを転送する。
【０００４】
特許文献２には、携帯電話とサーバとをインターネットを介して接続するシステムが開示されている。特許文献２のシステムは、携帯電話において健康計測機器から赤外線通信を介して計測データを収集し、インターネットを介して携帯電話からサーバに測定データを転送し、サーバに蓄積された計測データを任意の表示形式で携帯電話に表示する。
【先行技術文献】
【特許文献】
【０００５】
【特許文献１】特開２０１１−１８０８１７号公報
【特許文献２】特開２００６−９９３０１号公報
【発明の概要】
【発明が解決しようとする課題】
【０００６】
利用者の健康管理を支援する上で、保健指導者の負担を軽減しながら利用者の状況に応じた保健指導を実現することについて十分な考慮がなされていなかった。
【課題を解決するための手段】
【０００７】
（１）本明細書に開示する一形態における健康管理支援システムは、利用者の健康管理を支援する。この健康管理支援システムは、前記利用者によって操作可能に構成された端末コンピュータと；前記端末コンピュータとコンピュータネットワークを介してデータをやり取り可能に構成された管理サーバとを備える。前記端末コンピュータは、前記利用者の生体情報を検知する生体情報検知装置から近距離無線通信を介して前記生体情報を取得する生体情報取得部と；前記利用者からの操作入力に基づいて、利用者の行動を示す行動情報を取得する行動情報取得部と；前記生体情報取得部によって取得される前記生体情報、および、前記行動情報取得部によって取得される前記行動情報を、前記管理サーバに送信する端末情報送信部とを含む。前記管理サーバは、前記端末コンピュータから送信される前記生体情報および前記行動情報を蓄積する取得情報データベース部と；前記利用者の健康管理に関する複数の管理項目ごとに評価基準を設定する評価基準設定部と；前記取得情報データベース部に蓄積されている所定期間に取得された前記生体情報および前記行動情報と、前記複数の管理項目ごとの前記評価基準とに基づいて、前記複数の管理項目ごとに前記所定期間における前記利用者による健康管理に対する取り組みを評価する評価メッセージを選定する評価選定部と；前記複数の管理項目ごとの前記評価メッセージを前記利用者が認識可能に、前記複数の管理項目ごとの前記評価メッセージの表示を前記端末コンピュータに対して指示する表示指示部とを含む。この形態の健康管理支援システムによれば、所定期間に取得された生体情報および行動情報に基づいて、利用者による健康管理に対する取り組みを評価する評価メッセージを複数の管理項目ごとに管理サーバによって選定し、これらの評価メッセージを端末コンピュータにおいて利用者に認識させることができる。したがって、保健指導者の負担を軽減しながら利用者の状況に応じた保健指導を実現できる。
【０００８】
（２）上述の健康管理支援システムにおいて、前記管理サーバの前記評価選定部は、前記取得情報データベース部に蓄積されている所定期間に取得された前記生体情報および前記行動情報と、前記複数の管理項目ごとの前記評価基準とに基づいて、前記複数の管理項目ごとに前記評価メッセージを選定するとともに、前記複数の管理項目ごとに前記評価メッセージに応じたキャラクタ画像を選定してもよい。前記管理サーバの前記表示指示部は、前記複数の管理項目ごとの前記評価メッセージおよび前記キャラクタ画像を前記利用者が認識可能に、前記複数の管理項目ごとの前記評価メッセージおよび前記キャラクタ画像の表示を前記端末コンピュータに対して指示してもよい。この形態の健康管理支援システムによれば、評価メッセージに加えキャラクタ画像を用いて利用者による健康管理に対する取り組みを評価することによって、健康管理に取り組む利用者の意欲を向上させることができる。
【０００９】
（３）上述の健康管理支援システムにおいて、前記生体情報取得部に前記生体情報を提供する前記生体情報検知装置は、体組成計、血圧計および活動量計の少なくとも一つを含んでもよい。この形態の健康管理支援システムによれば、体組成計、血圧計および活動量計の少なくとも一方によって検知可能な生体情報に基づいて、利用者による健康管理に対する取り組みを評価できる。
【００１０】
（４）上述の健康管理支援システムにおいて、前記行動情報取得部によって取得される前記行動情報は、前記利用者による食生活の行動を示す情報を含んでもよい。この形態の健康管理支援システムによれば、利用者による食生活の行動を示す情報に基づいて、利用者による健康管理に対する取り組みを評価できる。
【００１１】
（５）上述の健康管理支援システムにおいて、前記複数の管理項目は、前記生体情報および前記活動情報が記録された記録頻度を管理する第１の管理項目と；前記利用者の歩数を管理する第２の管理項目と；前記利用者の身体活動量を管理する第３の管理項目と；前記利用者の食生活を管理する第４の管理項目と；前記利用者の体重を管理する第５の管理項目と；前記利用者の血圧を管理する第６の管理項目と；前記複数の管理項目のうち他の管理項目を総合的に管理する第７の管理項目との少なくとも２つの管理項目を含んでもよい。この形態の健康管理支援システムによれば、利用者による健康管理として２型糖尿病の予防および治療に対する取り組みを評価できる。
【００１２】
（６）上述の健康管理支援システムにおいて、前記管理サーバの前記評価基準設定部は、前記複数の管理項目のうち少なくとも１つの管理項目に関する評価基準を、前記取得情報データベース部に蓄積されている前記生体情報および前記行動情報の少なくとも一方に基づいて設定してもよい。この形態の健康管理支援システムによれば、利用者による健康管理に対する過去の実績を評価基準に反映できる。
【００１３】
（７）本明細書に開示する一形態における端末コンピュータは、利用者の健康管理を支援する健康管理支援システムにおいて、前記利用者によって操作可能に構成されている。この端末コンピュータは、前記利用者の生体情報を検知する生体情報検知装置から近距離無線通信を介して前記生体情報を取得する生体情報取得部と；前記利用者からの操作入力に基づいて、利用者の行動を示す行動情報を取得する行動情報取得部と；前記生体情報取得部によって取得される前記生体情報、および、前記行動情報取得部によって取得される前記行動情報を、前記端末コンピュータとコンピュータネットワークを介してデータをやり取り可能に構成された管理サーバに、送信する端末情報送信部と；所定期間に取得された前記生体情報および前記行動情報と、前記利用者の健康管理に関する複数の管理項目ごとに設定された評価基準とに基づいて前記管理サーバによって選定された、前記複数の管理項目ごとに前記所定期間における前記利用者による健康管理に対する取り組みを評価する評価メッセージを、前記管理サーバの指示に応じて表示する評価表示部とを備える。この形態の端末コンピュータによれば、所定期間に取得された生体情報および行動情報に基づいて、利用者による健康管理に対する取り組みを評価する評価メッセージを複数の管理項目ごとに管理サーバによって選定し、これらの評価メッセージを端末コンピュータにおいて利用者に認識させることができる。したがって、保健指導者の負担を軽減しながら利用者の状況に応じた保健指導を実現できる。
【００１４】
（８）本明細書に開示する一形態における管理サーバは、利用者の健康管理を支援する健康管理支援システムにおいて、利用者によって操作可能に構成された端末コンピュータとコンピュータネットワークを介してデータをやり取り可能に構成されている。この管理サーバは、前記利用者の生体情報を検知する生体情報検知装置から近距離無線通信を介して前記端末コンピュータによって取得された前記生体情報、および、前記利用者からの操作入力に基づいて前記端末コンピュータによって取得された利用者の行動を示す行動情報を、前記コンピュータネットワークを介して前記端末コンピュータから取得する情報取得部と；前記情報取得部によって取得された前記生体情報および前記行動情報を蓄積する取得情報データベース部と；前記利用者の健康管理に関する複数の管理項目ごとに評価基準を設定する評価基準設定部と；前記取得情報データベース部に蓄積されている所定期間に取得された前記生体情報および前記行動情報と、前記複数の管理項目ごとの前記評価基準とに基づいて、前記複数の管理項目ごとに前記所定期間における前記利用者による健康管理に対する取り組みを評価する評価メッセージを選定する評価選定部と；前記複数の管理項目ごとの前記評価メッセージを前記利用者が認識可能に、前記複数の管理項目ごとの前記評価メッセージの表示を前記端末コンピュータに対して指示する表示指示部とを備える。この形態の端末コンピュータによれば、所定期間に取得された生体情報および行動情報に基づいて、利用者による健康管理に対する取り組みを評価する評価メッセージを複数の管理項目ごとに管理サーバによって選定し、これらの評価メッセージを端末コンピュータにおいて利用者に認識させることができる。したがって、保健指導者の負担を軽減しながら利用者の状況に応じた保健指導を実現できる。
【００１５】
本明細書に記載する技術は、健康管理支援システム、端末コンピュータおよび管理サーバのほか、種々の形態で実現できる。本明細書に記載する技術は、例えば、上述の端末コンピュータ用プログラム、上述の管理サーバ用プログラム、および、利用者の健康管理を支援する方法などの形態で実現できる。
【図面の簡単な説明】
【００１６】
【図１】健康管理支援システムを示す説明図である。
【図２】端末コンピュータの詳細構成を示す説明図である。
【図３】利用者から食生活情報を取得する画面の一例を示す説明図である。
【図４】評価メッセージおよびキャラクタ画像を表示する画面の一例を示す説明図である。
【図５】管理サーバの詳細構成を示す説明図である。
【図６】第１の評価項目「記録頻度」に関する評価メッセージデータの一例を示す説明図である。
【図７】第２の評価項目「歩数」に関する評価メッセージデータの一例を示す説明図である。
【図８】第３の評価項目「身体活動量」に関する評価メッセージデータの一例を示す説明図である。
【図９】第４の評価項目「食生活」に関する評価メッセージデータの一例を示す説明図である。
【図１０】第５の評価項目「体重」に関する評価メッセージデータの一例を示す説明図である。
【図１１】第６の評価項目「血圧」に関する評価メッセージデータの一例を示す説明図である。
【図１２】第７の評価項目「総合評価」に関する評価メッセージデータの一例を示す説明図である。
【図１３】健康管理支援システムの動作を示す説明図である。
【図１４】端末コンピュータによる情報収集処理を示すフローチャートである。
【図１５】管理サーバによる情報蓄積処理を示すフローチャートである。
【図１６】健康管理支援システムの動作を示す説明図である。
【発明を実施するための形態】
【００１７】
図１は、健康管理支援システム１０を示す説明図である。健康管理支援システム１０は、利用者の健康管理を支援するシステムである。健康管理支援システム１０は、端末コンピュータ１００と、管理サーバ２００とを備える。健康管理支援システム１０は、更に、管理コンピュータ３００を備える。
【００１８】
健康管理支援システム１０の端末コンピュータ１００は、利用者によって操作可能に構成されたコンピュータである。端末コンピュータ１００は、スマートフォンおよびタブレットのいずれであってもよい。端末コンピュータ１００は、生体情報検知装置８０と近距離無線通信を介して通信可能に構成されている。
【００１９】
生体情報検知装置８０は、端末コンピュータ１００を使用する利用者の生体情報を検知する装置である。生体情報検知装置８０は、近距離無線通信としてブルートゥース（登録商標）規格に準拠した通信機能を有する。生体情報検知装置８０は、体組成計、血圧計および活動量計を含む。体組成計は、利用者の生体情報として、体重、体脂肪率、内臓脂肪レベル、皮下脂肪率、基礎代謝、骨格筋率、ボディマス指数（ＢＭＩ：Body Mass Index）などを測定可能である。血圧計は、利用者の生体情報として、収縮期血圧、拡張期血圧などを測定可能である。活動量計は、利用者の生体情報として、歩数、代謝当量（ＭＥＴｓ: metabolic equivalents）などを測定可能である。
【００２０】
健康管理支援システム１０の管理サーバ２００は、端末コンピュータ１００とコンピュータネットワーク８００を介してデータをやり取り可能に構成されたコンピュータである。管理サーバ２００は、複数の端末コンピュータ１００とコンピュータネットワーク８００を介してデータをやり取り可能である。管理サーバ２００は、端末コンピュータ１００とクラウドコンピューティングによってデータをやり取り可能に構成されたクラウドサーバである。コンピュータネットワーク８００は、インターネット、携帯電話通信網および無線ローカルエリアネットワークを含むコンピュータネットワークである。
【００２１】
健康管理支援システム１０の管理コンピュータ３００は、管理サーバ２００とコンピュータネットワーク８００を介してデータをやり取り可能に構成されたコンピュータである。管理コンピュータ３００は、パーソナルコンピュータ、スマートフォンおよびタブレットのいずれであってもよい。管理コンピュータ３００は、健康管理支援システム１０を管理する管理者の操作入力に基づいて、管理サーバ２００を制御する。
【００２２】
図２は、端末コンピュータ１００の詳細構成を示す説明図である。端末コンピュータ１００は、タッチパネル１１０と、ネットワーク通信部１２０と、近距離無線通信部１３０を備える。タッチパネル１１０は、利用者による操作入力を感知するとともに画像を表示する。ネットワーク通信部１２０は、コンピュータネットワーク８００に接続可能に構成されている。ネットワーク通信部１２０は、携帯電話通信網を通してコンピュータネットワーク８００に接続する機能と、無線ローカルエリアネットワークを通じてコンピュータネットワーク８００に接続する機能とを有する。近距離無線通信部１３０は、近距離無線通信を介して生体情報検知装置８０と通信可能に構成されている。近距離無線通信部１３０は、ブルートゥース（登録商標）規格に準拠した通信機能を有する。
【００２３】
端末コンピュータ１００は、更に、利用者の健康管理を支援する健康支援機能として、生体情報取得部１５２と、行動情報取得部１５４と、端末情報送信部１５６と、評価表示部１５８とを備える。端末コンピュータ１００において健康支援機能に関する構成は、アプリケーションソフトウェア（Application Software）である健康応援アプリケーション１５０に基づいてソフトウェア的に実現される。健康支援機能に関する構成の少なくとも一部は、回路構成に基づいてハードウェア的に実現されてもよい。
【００２４】
端末コンピュータ１００の生体情報取得部１５２は、生体情報検知装置８０から近距離無線通信を介して生体情報を取得する。生体情報取得部１５２は、近距離無線通信部１３０を通じて生体情報検知装置８０から生体情報を取得する。生体情報取得部１５２によって取得される生体情報は、歩数、代謝当量、体重、収縮期血圧、拡張期血圧を含む。
【００２５】
端末コンピュータ１００の行動情報取得部１５４は、利用者の操作入力に基づいて、利用者の行動を示す行動情報を取得する。行動情報取得部１５４は、タッチパネル１１０を通じて利用者から行動情報を取得する。行動情報取得部１５４によって取得される行動情報は、利用者による食生活の行動を示す情報である食生活情報を含む。行動情報取得部１５４によって取得される行動情報は、利用者による運動に関する行動を示す情報であってもよいし、利用者の通院に関する行動を示す情報であってもよい。
【００２６】
図３は、利用者から食生活情報を取得する画面５１０の一例を示す説明図である。画面５１０は、健康応援アプリケーション１５０の機能に基づいて、タッチパネル１１０に表示されるグラフィカルユーザインタフェース（ＧＵＩ：Graphical User Interface）である。画面５１０は、タイトルバー５０２と、タブ５０８と、日付入力部５１２と、複数の入力ボタン５１４と、送信ボタン５１６とを備える。
【００２７】
画面５１０のタイトルバー５０２は、画面５１０のタイトル名を示す文字列を表示する。タイトルバー５０２は、画面５１０の上端に位置する。タイトルバー５０２は、トップページに移行するメニューボタンを備えてもよいし、設定画面に移行するメニューボタンを備えてもよい。
【００２８】
画面５１０のタブ５０８は、各種のメニューボタンを備える。タブ５０８は、画面５１０の下端に位置する。タブ５０８は、利用者の体重に関する情報を表示する画面に移行するメニューボタンを備えてもよい。タブ５０８は、他の画面から画面５１０に移行するメニューボタンを備えてもよい。タブ５０８は、健康応援アプリケーション１５０の利用継続状況を表示する画面に移行するメニューボタンを備えてもよい。
【００２９】
画面５１０の日付入力部５１２は、入力ボタン５１４に入力される食生活行動が実施された日付の入力を利用者から受け付ける。日付入力部５１２は、利用者によるタッチパネル１１０上の入力操作に基づいて、年月日の入力を利用者から受け付ける。
【００３０】
画面５１０における複数の入力ボタン５１４は、食生活情報の入力を利用者から受け付ける。複数の入力ボタン５１４は、それぞれ異なる食生活行動に関する項目に対応する。５１４は、利用者によるタッチパネル１１０上の１回の入力操作ごとに、緑色、黄色、赤色の順に変化する。緑色の入力ボタン５１４は、その項目に関する食生活情報として、利用者が「気をつけた」旨を受け付ける。黄色の入力ボタン５１４は、その項目に関する食生活情報として、利用者が「少し気をつけた」旨を受け付ける。赤色の入力ボタン５１４は、その項目に関する食生活情報として、利用者が「できなかった、難しかった」旨を受け付ける。
【００３１】
画面５１０の送信ボタン５１６は、日付入力部５１２および入力ボタン５１４に入力されている情報を管理サーバ２００へと送信する操作入力を利用者から受け付ける。送信ボタン５１６に操作入力が受け付けられた場合、行動情報取得部１５４は、日付入力部５１２に入力されている日付、および、複数の入力ボタン５１４に入力されている食生活情報を、管理サーバ２００に送信すべき行動情報として取得する。
【００３２】
図２の説明に戻り、端末コンピュータ１００の端末情報送信部１５６は、生体情報取得部１５２によって取得される生体情報、および、行動情報取得部１５４によって取得される行動情報を、管理サーバ２００に送信する。端末情報送信部１５６は、ネットワーク通信部１２０を通じて生体情報および行動情報を管理サーバ２００へと送信する。
【００３３】
端末コンピュータ１００の評価表示部１５８は、所定期間に取得された生体情報および行動情報に基づいて管理サーバ２００によって選定された評価メッセージを、管理サーバ２００の指示に応じて表示する。評価メッセージは、利用者の健康管理に関する複数の管理項目ごとに、所定期間における利用者による健康管理に対する取り組みを評価する文章である。評価表示部１５８は、評価メッセージに加え、評価メッセージに応じて管理サーバ２００によって選定されたキャラクタ画像を表示する。
【００３４】
本実施形態では、評価表示部１５８は、管理サーバ２００から受信した評価メッセージおよびキャラクタ画像をタッチパネル１１０に表示する。他の実施形態では、健康応援アプリケーション１５０には、各種の評価メッセージおよびキャラクタ画像を格納したデータベースが予め用意されており、評価表示部１５８は、評価メッセージおよびキャラクタ画像を示す符号を管理サーバ２００から受信し、これらの符号に対応する評価メッセージおよびキャラクタ画像をデータベースから読み出し、これらの評価メッセージおよびキャラクタ画像をタッチパネル１１０に表示してもよい。
【００３５】
図４は、評価メッセージおよびキャラクタ画像を表示する画面５２０の一例を示す説明図である。画面５２０は、健康応援アプリケーション１５０の機能に基づいて、タッチパネル１１０に表示されるグラフィカルユーザインタフェースである。画面５２０は、画面５１０と同様に、タイトルバー５０２およびタブ５０８を備える。画面５２０は、更に、利用者の健康管理に関する複数の管理項目に応じて、第１の管理項目に関する表示部５２１ａ〜ｃと、第２の管理項目に関する表示部５２２ａ〜ｃと、第３の管理項目に関する表示部５２３ａ〜ｃと、第４の管理項目に関する表示部５２４ａ〜ｃと、第５の管理項目に関する表示部５２５ａ〜ｃと、第６の管理項目に関する表示部５２６ａ〜ｃと、第７の管理項目に関する表示部５７１ａ〜ｃとを備える。
【００３６】
第１の管理項目は、生体情報および活動情報が記録された記録頻度を管理する項目である。表示部５２１ａは、第１の管理項目を示す文字列として「記録」を表示する。表示部５２１ｂは、第１の管理項目に関して管理サーバ２００によって選定された評価メッセージを表示する。表示部５２１ｃは、第１の管理項目に関して管理サーバ２００によって選定されたキャラクタ画像を表示する。
【００３７】
第２の管理項目は、利用者の歩数を管理する項目である。表示部５２２ａは、第２の管理項目を示す文字列として「歩数」を表示する。表示部５２２ｂは、第２の管理項目に関して管理サーバ２００によって選定された評価メッセージを表示する。表示部５２２ｃは、第２の管理項目に関して管理サーバ２００によって選定されたキャラクタ画像を表示する。
【００３８】
第３の管理項目は、利用者の身体活動量を管理する項目である。表示部５２３ａは、第３の管理項目を示す文字列として「活動量」を表示する。表示部５２３ｂは、第３の管理項目に関して管理サーバ２００によって選定された評価メッセージを表示する。表示部５２３ｃは、第３の管理項目に関して管理サーバ２００によって選定されたキャラクタ画像を表示する。
【００３９】
第４の管理項目は、利用者の食生活を管理する項目である。表示部５２４ａは、第４の管理項目を示す文字列として「食生活」を表示する。表示部５２４ｂは、第４の管理項目に関して管理サーバ２００によって選定された評価メッセージを表示する。表示部５２４ｃは、第４の管理項目に関して管理サーバ２００によって選定されたキャラクタ画像を表示する。
【００４０】
第５の管理項目は、利用者の体重を管理する項目である。表示部５２５ａは、第５の管理項目を示す文字列として「体重」を表示する。表示部５２５ｂは、第５の管理項目に関して管理サーバ２００によって選定された評価メッセージを表示する。表示部５２５ｃは、第５の管理項目に関して管理サーバ２００によって選定されたキャラクタ画像を表示する。
【００４１】
第６の管理項目は、利用者の血圧を管理する項目である。表示部５２６ａは、第６の管理項目を示す文字列として「血圧」を表示する。表示部５２６ｂは、第６の管理項目に関して管理サーバ２００によって選定された評価メッセージを表示する。表示部５２６ｃは、第６の管理項目に関して管理サーバ２００によって選定されたキャラクタ画像を表示する。
【００４２】
第７の管理項目は、複数の管理項目のうち他の管理項目を総合的に管理する項目である。表示部５２７ａは、第７の管理項目を示す文字列として「総合評価」を表示する。表示部５２７ｂは、第７の管理項目に関して管理サーバ２００によって選定された評価メッセージを表示する。表示部５２７ｃは、第７の管理項目に関して管理サーバ２００によって選定されたキャラクタ画像を表示する。
【００４３】
図５は、管理サーバ２００の詳細構成を示す説明図である。管理サーバ２００は、ネットワーク通信部２１０を備える。ネットワーク通信部２１０は、コンピュータネットワーク８００に接続可能に構成されている。管理サーバ２００は、更に、利用者の健康管理を支援する健康支援機能として、情報取得部２２０と、取得情報データベース部２３０と、評価基準設定部２４０と、評価基準格納部２５０と、評価選定部２６０と、評価情報データベース部２７０と、表示指示部２８０とを備える。管理サーバ２００における健康支援機能に関する構成は、コンピュータプログラムに基づいてソフトウェア的に実現される。管理サーバ２００における各構成の少なくとも一部は、回路構成に基づいてハードウェア的に実現されてもよい。
【００４４】
管理サーバ２００の情報取得部２２０は、端末コンピュータ１００から送信される生体情報および行動情報を取得する。情報取得部２２０は、ネットワーク通信部２１０を通じて生体情報および行動情報を取得する。情報取得部２２０は、生体情報および行動情報の少なくとも一部を、コンピュータネットワーク８００を介して端末コンピュータ１００から直接的に受信してもよいし、端末コンピュータ１００からの情報を一時的に蓄積する他のデータベースサーバから間接的に受信してもよい。
【００４５】
管理サーバ２００の取得情報データベース部２３０は、端末コンピュータ１００から送信される生体情報および行動情報を蓄積する。取得情報データベース部２３０は、利用者ごとに生体情報および行動情報を蓄積する。取得情報データベース部２３０は、生体情報および行動情報を、各情報が記録された日付を示す情報とともに蓄積する。
【００４６】
管理サーバ２００の評価基準設定部２４０は、利用者の健康管理に関する複数の管理項目ごとに評価基準を設定する。評価基準設定部２４０は、第１〜７の管理項目ごとに評価基準を設定する。評価基準設定部２４０は、複数の管理項目のうち少なくとも１つの管理項目に関する評価基準を、固定値として設定可能である。評価基準設定部２４０は、複数の管理項目のうち少なくとも１つの管理項目に関する評価基準を、取得情報データベース部２３０に蓄積されている生体情報および行動情報の少なくとも一方に基づいて設定可能である。評価基準設定部２４０は、複数の管理項目のうち少なくとも１つの管理項目に関する評価基準を、管理コンピュータ３００からの指示に基づいて設定してもよい。
【００４７】
評価基準設定部２４０によって評価基準が設定される管理項目は、第１の管理項目「記録頻度」と、第２の管理項目「歩数」と、第３の管理項目「身体活動量」と、第４の管理項目「食生活」と、第５の管理項目「体重」と、第６の管理項目「血圧」と、第７の管理項目「総合評価」を含む。第１の管理項目「記録頻度」の評価基準は、固定値である。第２の管理項目「歩数」の評価基準は、固定値である。第３の管理項目「身体活動量」の評価基準は、固定値である。第４の管理項目「食生活」の評価基準は、固定値である。第５の管理項目「体重」の評価基準は、取得情報データベース部２３０に蓄積されている生体情報に基づいて設定される変動値である。第６の管理項目「血圧」の評価基準は、固定値である。第７の管理項目「総合評価」の評価基準は、固定値である。
【００４８】
管理サーバ２００の評価基準格納部２５０は、評価基準設定部２４０によって複数の管理項目ごとに設定された評価基準を格納する。
【００４９】
管理サーバ２００の評価選定部２６０は、取得情報データベース部２３０に蓄積されている所定期間（本実施形態では、過去一週間）に取得された生体情報および行動情報と、評価基準格納部２５０に格納されている複数の管理項目ごとの評価基準とに基づいて、複数の管理項目ごとに所定期間における利用者による健康管理に対する取り組みを評価する評価メッセージを選定する。評価選定部２６０は、評価メッセージに加え、複数の管理項目ごとに評価メッセージに応じたキャラクタ画像を選定する。評価選定部２６０は、評価情報データベース部２７０に予め格納されている評価メッセージおよびキャラクタ画像を、評価基準格納部２５０に格納されている評価基準に基づいて選定する。評価選定部２６０は、定期的に評価メッセージを選定する（例えば、一週間に２回）。
【００５０】
管理サーバ２００の評価情報データベース部２７０は、評価基準格納部２５０に格納される評価基準に対応付けて、複数の評価メッセージおよび複数のキャラクタ画像を記憶している。評価情報データベース部２７０は、管理コンピュータ３００からの指示に基づいて評価メッセージおよびキャラクタ画像を更新可能に構成されている。
【００５１】
管理サーバ２００の表示指示部２８０は、複数の管理項目ごとの評価メッセージを利用者が認識可能に、評価選定部２６０によって選定された複数の管理項目ごとの評価メッセージの表示を端末コンピュータ１００に対して指示する。表示指示部２８０は、評価メッセージに加え、評価選定部２６０によって選定されたキャラクタ画像の表示を端末コンピュータ１００に対して指示する。表示指示部２８０は、ネットワーク通信部２１０を通じて評価メッセージおよびキャラクタ画像の表示を端末コンピュータ１００に指示する。
【００５２】
図６は、第１の評価項目「記録頻度」に関する評価メッセージデータ６１０の一例を示す説明図である。評価メッセージデータ６１０は、評価情報データベース部２７０に格納されている。評価メッセージデータ６１０は、第１月目の評価期間に適用される。評価情報データベース部２７０には、第２月目以降の評価期間に適用される第１の評価項目の評価メッセージデータが格納されている。
【００５３】
評価メッセージデータ６１０は、４段階の評価基準Ｒ１０〜Ｒ１３に対応する４つの評価メッセージＭ１０〜Ｍ１３を含む。評価メッセージデータ６１０は、４つの評価メッセージＭ１０〜Ｍ１３に対応する４つのキャラクタ画像Ｃ１０〜Ｃ１３に関連付けられている。評価選定部２６０は、過去一週間において取得情報データベース部２３０に生体情報が記録された日数に応じて、評価メッセージおよびキャラクタ画像を選定する。例えば、過去一週間における記録日数が６日である場合、評価選定部２６０は、評価基準Ｒ１３「６〜７日」に対応する評価メッセージＭ１３「初志貫徹。目標に向かっていくぞ！」を選定するとともに、その評価メッセージＭ１３に対応するキャラクタ画像Ｃ１３を選定する。
【００５４】
図６の例では、評価メッセージＭ１０〜Ｍ１３のうち、評価メッセージＭ１０，Ｍ１１は、マイナス評価として設定されている。図６の例では、評価基準Ｒ１０〜Ｒ１３は、固定値であるが、取得情報データベース部２３０に蓄積されている生体情報および行動情報の少なくとも一方に基づいて設定される変動値であってもよい。
【００５５】
図７は、第２の評価項目「歩数」に関する評価メッセージデータ６２０の一例を示す説明図である。評価メッセージデータ６２０は、評価情報データベース部２７０に格納されている。評価メッセージデータ６２０は、第１月目の評価期間に適用される。評価情報データベース部２７０には、第２月目以降の評価期間に適用される第２の評価項目の評価メッセージデータが格納されている。評価メッセージデータ６２０は、端末コンピュータ１００において利用者によって設定される難易度のうち、「通常」の難易度が設定されている場合に適用される。評価情報データベース部２７０には、「厳しい」および「やさしい」の難易度に適用される第２の評価項目の評価メッセージデータが格納されている。
【００５６】
評価メッセージデータ６２０は、４段階の評価基準Ｒ２０〜Ｒ２３に対応する４つの評価メッセージＭ２０〜Ｍ２３を含む。評価メッセージデータ６２０は、４つの評価メッセージＭ２０〜Ｍ２３に対応する４つのキャラクタ画像Ｃ２０〜Ｃ２３に関連付けられている。評価メッセージデータ６２０は、４段階の評価基準Ｒ２０〜Ｒ２３に加え、警告を示す評価基準として３種類の警告基準Ｒ２４〜Ｒ２６に対応する３つの評価メッセージＭ２４〜Ｍ２６を含み、その３つの評価メッセージＭ２４〜Ｍ２６に対応する３つのキャラクタ画像Ｃ２４〜Ｃ２６に関連付けられている。評価選定部２６０は、４段階の評価基準Ｒ２０〜Ｒ２３に該当する評価メッセージＭ２０〜Ｍ２３より、３種類の警告基準Ｒ２４〜Ｒ２６に該当する評価メッセージＭ２４〜Ｍ２６を優先的に選定する。
【００５７】
評価選定部２６０は、過去一週間において取得情報データベース部２３０に記録された歩数に基づいて平均歩数を算出し、その平均歩数に応じて評価メッセージおよびキャラクタ画像を選定する。例えば、過去一週間における平均歩数が６０００歩である場合、評価選定部２６０は、評価基準Ｒ２２「５０００歩以上１００００歩未満」に対応する評価メッセージＭ２２「すご〜い！この調子で続けてね」を選定するとともに、その評価メッセージＭ２２に対応するキャラクタ画像Ｃ２２を選定する。また、前回の評価時における平均歩数である前回歩数に対して、今回の評価時における平均歩数が３０００歩以上多く、かつ、その状況が１０日以上継続している場合、評価選定部２６０は、警告基準Ｒ２５に対応する評価メッセージＭ２５「歩きすぎて膝を痛めていないか心配だよ〜」を選定するとともに、その評価メッセージＭ２５に対応するキャラクタ画像Ｃ２５を選定する。
【００５８】
図７の例では、評価メッセージＭ２０〜Ｍ２６のうち、評価メッセージＭ２０，Ｍ２１，Ｒ２６は、マイナス評価として設定されている。図７の例では、評価基準Ｒ２０〜Ｒ２６は、固定値であるが、取得情報データベース部２３０に蓄積されている生体情報および行動情報の少なくとも一方に基づいて増減される変動値であってもよい。
【００５９】
図８は、第３の評価項目「身体活動量」に関する評価メッセージデータ６３０の一例を示す説明図である。評価メッセージデータ６３０は、評価情報データベース部２７０に格納されている。評価メッセージデータ６３０は、第１月目の評価期間に適用される。評価情報データベース部２７０には、第２月目以降の評価期間に適用される第３の評価項目の評価メッセージデータが格納されている。評価メッセージデータ６３０は、端末コンピュータ１００において利用者によって設定される難易度のうち、「通常」の難易度が設定されている場合に適用される。評価情報データベース部２７０には、「厳しい」および「やさしい」の難易度に適用される第３の評価項目の評価メッセージデータが格納されている。
【００６０】
評価メッセージデータ６３０は、４段階の評価基準Ｒ３０〜Ｒ３３に対応する４つの評価メッセージＭ３０〜Ｍ３３を含む。評価メッセージデータ６３０は、４つの評価メッセージＭ３０〜Ｍ３３に対応する４つのキャラクタ画像Ｃ３０〜Ｃ３３に関連付けられている。評価選定部２６０は、過去一週間において取得情報データベース部２３０に記録された代謝当量に基づいて一週間の身体活動量を算出し、その身体活動量に応じて評価メッセージおよびキャラクタ画像を選定する。例えば、過去一週間の身体活動量が３０ＭＥＴｓ・時である場合、評価選定部２６０は、評価基準Ｒ３２「１５ＭＥＴｓ・時以上４０ＭＥＴｓ・時未満」に対応する評価メッセージＭ３２「すばらしいなぁ！活動的だ！！」を選定するとともに、その評価メッセージＭ３２に対応するキャラクタ画像Ｃ３２を選定する。
【００６１】
図８の例では、評価メッセージＭ３０〜Ｍ３３のうち、評価メッセージＭ３０，Ｍ３１は、マイナス評価として設定されている。図８の例では、評価基準Ｒ３０〜Ｒ３３は、固定値であるが、取得情報データベース部２３０に蓄積されている生体情報および行動情報の少なくとも一方に基づいて増減される変動値であってもよい。
【００６２】
図９は、第４の評価項目「食生活」に関する評価メッセージデータ６４０の一例を示す説明図である。評価メッセージデータ６４０は、評価情報データベース部２７０に格納されている。評価メッセージデータ６４０は、第１月目の評価期間に適用される。評価情報データベース部２７０には、第２月目以降の評価期間に適用される第４の評価項目の評価メッセージデータが格納されている。
【００６３】
評価メッセージデータ６４０は、７段階の評価基準Ｒ４０〜Ｒ４６に対応する７つの評価メッセージＭ４０〜Ｍ４６を含む。評価メッセージデータ６４０は、７つの評価メッセージＭ４０〜Ｍ４６に対応する７つのキャラクタ画像Ｃ４０〜Ｃ４６に関連付けられている。評価選定部２６０は、過去一週間において取得情報データベース部２３０に記録された食生活の行動を数値化した食生活値を算出し、その食生活値に応じて評価メッセージおよびキャラクタ画像を選定する。例えば、過去一週間の食生活値が１８点である場合、評価選定部２６０は、評価基準Ｒ４４「１５点以上２０点未満」に対応する評価メッセージＭ４４として割り当てられた食生活の豆知識を選定するとともに、その評価メッセージＭ４４に対応するキャラクタ画像Ｃ４４を選定する。
【００６４】
図９の例では、評価メッセージＭ４０〜Ｍ４６のうち、評価メッセージＭ４０〜Ｍ４２は、マイナス評価として設定されている。図９の例では、評価基準Ｒ４０〜Ｒ４６は、固定値であるが、取得情報データベース部２３０に蓄積されている生体情報および行動情報の少なくとも一方に基づいて増減される変動値であってもよい。
【００６５】
図１０は、第５の評価項目「体重」に関する評価メッセージデータ６５０の一例を示す説明図である。評価メッセージデータ６５０は、評価情報データベース部２７０に格納されている。評価メッセージデータ６５０は、第１月目の評価期間に適用される。評価情報データベース部２７０には、第２月目以降の評価期間に適用される第５の評価項目の評価メッセージデータが格納されている。評価メッセージデータ６５０は、端末コンピュータ１００において利用者によって設定される難易度のうち、「通常」の難易度が設定されている場合に適用される。評価情報データベース部２７０には、「厳しい」および「やさしい」の難易度に適用される第５の評価項目の評価メッセージデータが格納されている。評価メッセージデータ６５０は、先月の平均ＢＭＩが２７以上である対象者に適用される。評価情報データベース部２７０には、他の平均ＢＭＩに適用される第５の評価項目の評価メッセージデータが格納されている。
【００６６】
評価メッセージデータ６５０は、４段階の評価基準Ｒ５０〜Ｒ５３に対応する４つの評価メッセージＭ５０〜Ｍ５３を含む。評価メッセージデータ６５０は、４つの評価メッセージＭ５０〜Ｍ５３に対応する４つのキャラクタ画像Ｃ５０〜Ｃ５３に関連付けられている。評価メッセージデータ６５０は、４段階の評価基準Ｒ５０〜Ｒ５３に加え、警告を示す評価基準として２種類の警告基準Ｒ５４，Ｒ５５に対応する２つの評価メッセージＭ５４，Ｍ５５と、歓喜を示す評価基準として１種類の歓喜基準Ｒ５６に対応する１つの評価メッセージＭ５６を含み、これら３つの評価メッセージＭ５４〜Ｍ５６に対応する３つのキャラクタ画像Ｃ５４〜Ｃ５６に関連付けられている。評価選定部２６０は、４段階の評価基準Ｒ５０〜Ｒ５３に該当する評価メッセージＭ５０〜Ｍ５３より、２種類の警告基準Ｒ５４，Ｒ５５および１種類の歓喜基準Ｒ５６に該当する評価メッセージＭ５４〜Ｍ５６を優先的に選定する。
【００６７】
評価選定部２６０は、過去一週間において取得情報データベース部２３０に記録された体重に基づいて平均体重を算出し、その平均体重に応じて評価メッセージおよびキャラクタ画像を選定する。例えば、過去一週間における平均体重が先回の評価時における平均体重より１．２ｋｇ増加した場合、評価選定部２６０は、評価基準Ｒ５１「１．０ｋｇ以上の増加」に対応する評価メッセージＭ５１「体重が増えているよ！知ってた？」を選定するとともに、その評価メッセージＭ５１に対応するキャラクタ画像Ｃ５１を選定する。また、平均体重が目標体重以下である場合、評価選定部２６０は、歓喜基準Ｒ５６に対応する評価メッセージＭ５６「達成おめでとう  今後はリバウンドに注意しよう」を選定するとともに、その評価メッセージＭ５６に対応するキャラクタ画像Ｃ５６を選定する。
【００６８】
図１０の例では、評価メッセージＭ５０〜Ｍ５６のうち、評価メッセージＭ５０，Ｍ５１，Ｒ５４は、マイナス評価として設定されている。図１０の例では、評価基準Ｒ５０〜Ｒ５６は、取得情報データベース部２３０に蓄積されている生体情報に基づいて増減される変動値であるが、取得情報データベース部２３０に蓄積されている行動情報に基づいて増減される変動値であってもよいし、固定値であってもよい。
【００６９】
図１１は、第６の評価項目「血圧」に関する評価メッセージデータ６６０の一例を示す説明図である。評価メッセージデータ６６０は、評価情報データベース部２７０に格納されている。評価メッセージデータ６６０は、第１月目の評価期間に適用される。評価情報データベース部２７０には、第２月目以降の評価期間に適用される第６の評価項目の評価メッセージデータが格納されている。評価メッセージデータ６６０は、端末コンピュータ１００において利用者によって設定される難易度のうち、「通常」の難易度が設定されている場合に適用される。評価情報データベース部２７０には、「厳しい」および「やさしい」の難易度に適用される第６の評価項目の評価メッセージデータが格納されている。
【００７０】
評価メッセージデータ６６０は、４段階の評価基準Ｒ６０〜Ｒ６３に対応する４つの評価メッセージＭ６０〜Ｍ６３を含む。評価メッセージデータ６６０は、４つの評価メッセージＭ６０〜Ｍ６３に対応する４つのキャラクタ画像Ｃ６０〜Ｃ６３に関連付けられている。評価メッセージデータ６６０は、４段階の評価基準Ｒ６０〜Ｒ６３に加え、警告を示す評価基準として警告基準Ｒ６４に対応する評価メッセージＭ６４を含み、その評価メッセージＭ６４に対応するキャラクタ画像Ｃ６４に関連付けられている。評価選定部２６０は、４段階の評価基準Ｒ６０〜Ｒ６３に該当する評価メッセージＭ６０〜Ｍ６３より、警告基準Ｒ６４に該当する評価メッセージＭ６４を優先的に選定する。
【００７１】
評価選定部２６０は、過去一週間において取得情報データベース部２３０に記録された収縮期血圧および拡張期血圧に基づいて平均血圧を算出し、その平均血圧に応じて評価メッセージおよびキャラクタ画像を選定する。例えば、過去一週間における平均血圧が収縮期１１８ｍｍＨｇかつ拡張期６８ｍｍＨｇである場合、評価選定部２６０は、評価基準Ｒ６３「収縮期１２５未満かつ拡張期７５未満」に対応する評価メッセージＭ６３「血圧の状態はよさそうだな」を選定するとともに、その評価メッセージＭ６３に対応するキャラクタ画像Ｃ６３を選定する。また、過去一週間以内に一度でも収縮期１８０ｍｍＨｇ以上または拡張期１１０ｍｍＨｇ以上を記録した場合、評価選定部２６０は、警告基準Ｒ６４に対応する評価メッセージＭ６４「血圧がとても高く心配だ  早く医者に相談してくれよ」を選定するとともに、その評価メッセージＭ６４に対応するキャラクタ画像Ｃ６４を選定する。
【００７２】
図１１の例では、評価メッセージＭ６０〜Ｍ６４のうち、評価メッセージＭ６０〜Ｍ６２，Ｍ６４は、マイナス評価として設定されている。図１１の例では、評価基準Ｒ６０〜Ｒ６４は、固定値であるが、取得情報データベース部２３０に蓄積されている生体情報および行動情報の少なくとも一方に基づいて増減される変動値であってもよい。
【００７３】
図１２は、第７の評価項目「総合評価」に関する評価メッセージデータ６７０の一例を示す説明図である。評価メッセージデータ６７０は、評価情報データベース部２７０に格納されている。評価メッセージデータ６７０は、第１月目の評価期間に適用される。評価情報データベース部２７０には、第２月目以降の評価期間に適用される第７の評価項目の評価メッセージデータが格納されている。
【００７４】
評価メッセージデータ６７０は、５段階の評価基準Ｒ７０〜Ｒ７４に対応する５つの評価メッセージＭ７０〜Ｍ７４を含む。評価メッセージデータ６７０は、５つの評価メッセージＭ７０〜Ｍ７４に対応する５つのキャラクタ画像Ｃ７０〜Ｃ７４に関連付けられている。評価選定部２６０は、過去一週間における他の評価項目のマイナス評価の数に応じて、評価メッセージおよびキャラクタ画像を選定する。例えば、過去一週間における他の評価項目のマイナス評価の数が３つである場合、評価選定部２６０は、評価基準Ｒ７２「２〜３」に対応する評価メッセージＭ７２「いつも応援しております」を選定するとともに、その評価メッセージＭ７２に体操するキャラクタ画像Ｃ７２を選定する。
【００７５】
図１３は、健康管理支援システム１０の動作を示す説明図である。図１３の紙面左側には、端末コンピュータ１００による目標体重設定処理を示すフローチャートが図示されている。図１３の紙面右側には、端末コンピュータ１００による目標体重設定処理を示すフローチャートが図示されている。
【００７６】
管理サーバ２００は、端末コンピュータ１００または管理コンピュータ３００からの指示に基づいて、目標体重設定処理を開始する。目標体重設定処理を開始した後、管理サーバ２００は、利用者の体重を示す情報として端末コンピュータ１００または管理コンピュータ３００から取得した取得情報に基づいて目標体重の参考値を算出する（ステップＳ２１２）。その後、管理サーバ２００は、目標体重の参考値を端末コンピュータ１００に送信する（ステップＳ２１４）。その後、管理サーバ２００は、端末コンピュータ１００から目標体重の決定値を受信する（ステップＳ２１６）。その後、管理サーバ２００は、端末コンピュータ１００から受信した決定値を目標体重として設定する（ステップＳ２１８）。その後、管理サーバ２００は、目標体重設定処理を終了する。
【００７７】
端末コンピュータ１００は、利用者からの操作入力または管理サーバ２００からの指示に基づいて、目標体重設定処理を開始する。目標体重設定処理を開始した後、端末コンピュータ１００は、目標体重の参考値を管理サーバ２００から受信する（ステップＳ１１２）。その後、端末コンピュータ１００は、目標体重の参考値をタッチパネル１１０に表示する（ステップＳ１１４）。その後、目標体重を修正する操作入力を利用者から受け付けた場合（ステップＳ１１５：「ＹＥＳ」）、端末コンピュータ１００は、利用者からの操作入力に基づいて目標体重を修正し（ステップＳ１１６）、修正後の値を目標体重の決定値として管理サーバ２００に送信する（ステップＳ１１８）。目標体重を修正する操作入力がない場合（ステップＳ１１５：「ＮＯ」）、端末コンピュータ１００は、目標体重の参考値を決定値として管理サーバ２００に送信する（ステップＳ１１８）。その後、端末コンピュータ１００は、目標体重設定処理を終了する。
【００７８】
図１４は、端末コンピュータ１００による情報収集処理を示すフローチャートである。端末コンピュータ１００は、定期的に情報収集処理を開始する。情報収集処理を開始した後、端末コンピュータ１００は、近距離無線通信を介して生体情報検知装置８０から生体情報の入力があるか否かを判断する（ステップＳ１２２）。生体情報検知装置８０から生体情報の入力がある場合（ステップＳ１２２：「ＹＥＳ」）、端末コンピュータ１００は、生体情報取得部１５２として動作することによって、近距離無線通信を介して生体情報検知装置８０から生体情報を取得する（ステップＳ１２３）。その後、端末コンピュータ１００は、端末情報送信部１５６として動作することによって、生体情報検知装置８０から取得した生体情報を管理サーバ２００に送信する（ステップＳ１２４）。
【００７９】
生体情報検知装置８０から生体情報の入力がない場合（ステップＳ１２２：「ＮＯ」）、または、生体情報検知装置８０から取得した生体情報を管理サーバ２００に送信した後（ステップＳ１２４）、端末コンピュータ１００は、利用者からの操作入力に基づく行動情報の入力があるか否かを判断する（ステップＳ１２６）。利用者からの操作入力に基づく行動情報の入力がある場合（ステップＳ１２６：「ＹＥＳ」）、端末コンピュータ１００は、行動情報取得部１５４として動作することによって、利用者からの操作入力に基づいて行動情報を取得する（ステップＳ１２７、図３の画面５１０を参照）。その後、端末コンピュータ１００は、端末情報送信部１５６として動作することによって、利用者からの操作入力に基づいて取得した行動情報を管理サーバ２００に送信する（ステップＳ１２８）。利用者からの操作入力に基づく行動情報の入力がない場合（ステップＳ１２６：「ＮＯ」）、または、利用者からの操作入力に基づいて取得した行動情報を管理サーバ２００に送信した後（ステップＳ１２８）、端末コンピュータ１００は、情報収集処理を終了する。
【００８０】
図１５は、管理サーバ２００による情報蓄積処理を示すフローチャートである。管理サーバ２００は、定期的（例えば、１日１回）に情報蓄積処理を開始する。情報蓄積処理を開始した後、管理サーバ２００は、端末コンピュータ１００から生体情報を受信したか否かを判断する（ステップＳ２２２）。端末コンピュータ１００から生体情報を受信した場合（ステップＳ２２２：「ＹＥＳ」）、管理サーバ２００は、情報取得部２２０として動作することによって、端末コンピュータ１００からの生体情報を取得情報データベース部２３０に格納する（ステップＳ２２４）。
【００８１】
端末コンピュータ１００から生体情報を受信していない場合（ステップＳ２２２：「ＮＯ」）、または、生体情報を取得情報データベース部２３０に格納した後（ステップＳ２２４）、管理サーバ２００は、端末コンピュータ１００から行動情報を受信したか否かを判断する（ステップＳ２２６）。端末コンピュータ１００から行動情報を受信した場合（ステップＳ２２６：「ＹＥＳ」）、管理サーバ２００は、情報取得部２２０として動作することによって、端末コンピュータ１００からの行動情報を取得情報データベース部２３０に格納する（ステップＳ２２８）。端末コンピュータ１００から行動情報を受信していない場合（ステップＳ２２６：「ＮＯ」）、または、行動情報を取得情報データベース部２３０に格納した後（ステップＳ２２８）、管理サーバ２００は、情報蓄積処理を終了する。
【００８２】
図１６は、健康管理支援システム１０の動作を示す説明図である。図１６の紙面左側には、端末コンピュータ１００による評価表示を示すフローチャートが図示されている。図１６の紙面右側には、端末コンピュータ１００による評価選定処理を示すフローチャートが図示されている。
【００８３】
管理サーバ２００は、定期的（例えば、週２回）に評価選定処理を開始する。評価選定処理を開始した後、管理サーバ２００は、評価基準設定部２４０として動作することによって、複数の評価項目ごとに評価基準を設定し、その評価基準を評価基準格納部２５０に格納する（ステップＳ２３２）。
【００８４】
複数の評価項目ごとに評価基準を設定した後（ステップＳ２３２）、管理サーバ２００は、評価選定部２６０として動作することによって、取得情報データベース部２３０に蓄積されている所定期間に取得された生体情報および行動情報と、評価基準格納部２５０に格納されている複数の管理項目ごとの評価基準とに基づいて、複数の管理項目ごとに評価メッセージを選定する（ステップＳ２３４）。管理サーバ２００は、複数の管理項目ごとの評価メッセージに加え、複数の管理項目ごとに評価メッセージに応じたキャラクタ画像を選定する。
【００８５】
複数の管理項目ごとに評価メッセージを選定した後（ステップＳ２３４）、管理サーバ２００は、表示指示部２８０として動作することによって、複数の管理項目ごとの評価メッセージを利用者が認識可能に、複数の管理項目ごとに評価メッセージの表示を端末コンピュータ１００に指示する（ステップＳ２３６）。管理サーバ２００は、複数の管理項目ごとの評価メッセージの表示に加え、複数の管理項目ごとのキャラクタ画像の表示を端末コンピュータ１００に指示する。評価メッセージの表示を端末コンピュータ１００に指示した後（ステップＳ２３６）、管理サーバ２００は、評価選定処理を終了する。
【００８６】
端末コンピュータ１００は、管理サーバ２００からの指示に基づいて評価表示処理を開始する。評価表示処理を開始した後、端末コンピュータ１００は、複数の管理項目ごとの評価メッセージの表示指示を管理サーバ２００から受信する（ステップＳ１３６）。端末コンピュータ１００は、複数の管理項目ごとの評価メッセージの表示指示に加え、複数の管理項目ごとのキャラクタ画像の表示指示を２００から受信する。
【００８７】
複数の管理項目ごとの評価メッセージの表示指示を管理サーバ２００から受信した後（ステップＳ１３６）、端末コンピュータ１００は、評価表示部１５８として動作することによって、複数の管理項目ごとの評価メッセージを利用者が認識可能に、複数の管理項目ごとの評価メッセージをタッチパネル１１０に表示する（ステップＳ１３８、図４の画面５２０を参照）。端末コンピュータ１００は、複数の管理項目ごとの評価メッセージに加え、複数の管理項目ごとのキャラクタ画像をタッチパネル１１０に表示する。複数の管理項目ごとの評価メッセージを表示した後（ステップＳ１３８）、端末コンピュータ１００は、評価表示処理を終了する。
【００８８】
以上説明した実施形態によれば、所定期間に取得された生体情報および行動情報に基づいて、利用者による健康管理に対する取り組みを評価する評価メッセージを複数の管理項目ごとに管理サーバ２００によって選定し、これらの評価メッセージを端末コンピュータ１００において利用者に認識させることができる。したがって、保健指導者の負担を軽減しながら利用者の状況に応じた保健指導を実現できる。また、評価メッセージに加えキャラクタ画像を用いて利用者による健康管理に対する取り組みを評価することによって、健康管理に取り組む利用者の意欲を向上させることができる。
【００８９】
また、体組成計、血圧計および活動量計の少なくとも一方によって検知可能な生体情報に基づいて、利用者による健康管理に対する取り組みを評価できる。また、利用者による食生活の行動を示す行動情報に基づいて、利用者による健康管理に対する取り組みを評価できる。
【００９０】
また、複数の管理項目は、第１〜第７の管理項目を含むため、利用者による健康管理として２型糖尿病の予防および治療に対する取り組みを評価できる。
【００９１】
また、評価基準設定部２４０は、複数の管理項目のうち少なくとも１つの管理項目に関する評価基準を、取得情報データベース部２３０に蓄積されている生体情報および行動情報の少なくとも一方に基づいて設定可能に構成されているため、利用者による健康管理に対する過去の実績を評価基準に反映できる。
【００９２】
本発明は、上述した実施形態、実施例および変形例に限られず、その趣旨を逸脱しない範囲において種々の構成で実現できる。例えば、上述した実施形態、実施例および変形例における技術的特徴のうち、発明の概要の欄に記載した各形態における技術的特徴に対応するものは、上述の課題の一部または全部を解決するために、あるいは、上述の効果の一部または全部を達成するために、適宜、差し替えおよび組み合わせることができる。また、本明細書中に必須なものとして説明されていない技術的特徴については、適宜、削除できる。
【００９３】
複数の管理項目の数は、２以上であればよく、６以下であってもよいし、８以上であってもよい。管理項目の評価基準は、固定値であってもよいし、生体情報に基づいて設定される変動値であってもよいし、活動情報に基づいて設定される変動値であってもよいし、生体情報および活動情報の両方に基づいて設定される変動値であってもよい。例えば、食生活を示す行動情報が過剰摂取を示唆する場合、管理サーバ２００の評価基準設定部２４０は、「歩数」、「身体活動量」および「体重」の少なくとも１つの評価項目の評価基準値を標準値より増加してもよい。また、「歩数」、「身体活動量」および「体重」の少なくとも１つの評価項目が標準値を十分に満たしている場合、管理サーバ２００の評価基準設定部２４０は、「食生活」の評価項目の評価基準値を標準値より低減してもよい。
【符号の説明】
【００９４】
１０…健康管理支援システム
８０…生体情報検知装置
１００…端末コンピュータ
１１０…タッチパネル
１２０…ネットワーク通信部
１３０…近距離無線通信部
１５０…健康応援アプリケーション
１５２…生体情報取得部
１５４…行動情報取得部
１５６…端末情報送信部
１５８…評価表示部
２００…管理サーバ
２１０…ネットワーク通信部
２２０…情報取得部
２３０…取得情報データベース部
２４０…評価基準設定部
２５０…評価基準格納部
２６０…評価選定部
２７０…評価情報データベース部
２８０…表示指示部
３００…管理コンピュータ
５０２…タイトルバー
５０８…タブ
５１０…画面
５１２…日付入力部
５１４…入力ボタン
５１６…送信ボタン
５２０…画面
５２１ａ…表示部
５２１ｂ…表示部
５２１ｃ…表示部
５２２ａ…表示部
５２２ｂ…表示部
５２２ｃ…表示部
５２３ａ…表示部
５２３ｂ…表示部
５２３ｃ…表示部
５２４ａ…表示部
５２４ｂ…表示部
５２４ｃ…表示部
５２５ａ…表示部
５２５ｂ…表示部
５２５ｃ…表示部
５２６ａ…表示部
５２６ｂ…表示部
５２６ｃ…表示部
５２７ａ…表示部
５２７ｂ…表示部
５２７ｃ…表示部
５７１ａ…表示部
【図１】
2019168957.tif 000003
【図２】
2019168957.tif 000004
【図３】
2019168957.tif 000005
【図４】
2019168957.tif 000006
【図５】
2019168957.tif 000007
【図６】
2019168957.tif 000008
【図７】
2019168957.tif 000009
【図８】
2019168957.tif 000010
【図９】
2019168957.tif 000011
【図１０】
2019168957.tif 000012
【図１１】
2019168957.tif 000013
【図１２】
2019168957.tif 000014
【図１３】
2019168957.tif 000015
【図１４】
2019168957.tif 000016
【図１５】
2019168957.tif 000017
【図１６】
2019168957.tif 000018
【手続補正書】
【提出日】平成30年8月20日(2018.8.20)
【手続補正１】
【補正対象書類名】特許請求の範囲
【補正対象項目名】全文
【補正方法】変更
【補正の内容】
【特許請求の範囲】
【請求項１】
利用者の健康管理を支援する健康管理支援システムであって、
前記利用者によって操作可能に構成された端末コンピュータと、
前記端末コンピュータとコンピュータネットワークを介してデータをやり取り可能に構成された管理サーバと
を備え、
前記端末コンピュータは、
前記利用者の生体情報を検知する生体情報検知装置から近距離無線通信を介して前記生体情報を取得する生体情報取得部と、
前記利用者からの操作入力に基づいて、利用者の行動を示す行動情報を取得する行動情報取得部と、
前記生体情報取得部によって取得される前記生体情報、および、前記行動情報取得部によって取得される前記行動情報を、前記管理サーバに送信する端末情報送信部と
を含み、
前記管理サーバは、
前記端末コンピュータから送信される前記生体情報および前記行動情報を蓄積する取得情報データベース部と、
前記利用者の健康管理に関する複数の管理項目ごとに評価基準を設定する評価基準設定部と、
前記取得情報データベース部に蓄積されている所定期間に取得された前記生体情報および前記行動情報と、前記複数の管理項目ごとの前記評価基準とに基づいて、前記複数の管理項目ごとに前記所定期間における前記利用者による健康管理に対する取り組みを評価する評価メッセージを選定する評価選定部と、
前記複数の管理項目ごとの前記評価メッセージを前記利用者が認識可能に、前記複数の管理項目ごとの前記評価メッセージの表示を前記端末コンピュータに対して指示する表示指示部と
を含み、
前記管理サーバの前記評価基準設定部は、前記複数の管理項目のうち少なくとも１つの管理項目に関する評価基準を、前記取得情報データベース部に蓄積されている前記生体情報および前記行動情報の少なくとも一方に基づいて設定する、健康管理支援システム。
【請求項２】
請求項１に記載の健康管理支援システムであって、
前記管理サーバの前記評価選定部は、前記取得情報データベース部に蓄積されている所定期間に取得された前記生体情報および前記行動情報と、前記複数の管理項目ごとの前記評価基準とに基づいて、前記複数の管理項目ごとに前記評価メッセージを選定するとともに、前記複数の管理項目ごとに前記評価メッセージに応じたキャラクタ画像を選定し、
前記管理サーバの前記表示指示部は、前記複数の管理項目ごとの前記評価メッセージおよび前記キャラクタ画像を前記利用者が認識可能に、前記複数の管理項目ごとの前記評価メッセージおよび前記キャラクタ画像の表示を前記端末コンピュータに対して指示する、健康管理支援システム。
【請求項３】
請求項１または請求項２に記載の健康管理支援システムであって、
前記生体情報取得部に前記生体情報を提供する前記生体情報検知装置は、体組成計、血圧計および活動量計の少なくとも一つを含む、健康管理支援システム。
【請求項４】
請求項１から請求項３までのいずれか一項に記載の健康管理支援システムであって、
前記行動情報取得部によって取得される前記行動情報は、前記利用者による食生活の行動を示す情報を含む、健康管理支援システム。
【請求項５】
請求項１から請求項４までのいずれか一項に記載の健康管理支援システムであって、
前記複数の管理項目は、
前記生体情報および前記行動情報が記録された記録頻度を管理する第１の管理項目と、
前記利用者の歩数を管理する第２の管理項目と、
前記利用者の身体活動量を管理する第３の管理項目と、
前記利用者の食生活を管理する第４の管理項目と、
前記利用者の体重を管理する第５の管理項目と、
前記利用者の血圧を管理する第６の管理項目と、
前記複数の管理項目のうち他の管理項目を総合的に管理する第７の管理項目と
の少なくとも２つの管理項目を含む、健康管理支援システム。
【請求項６】
請求項１から請求項４までのいずれか一項に記載の健康管理支援システムであって、
前記管理サーバの前記評価基準設定部は、前記複数の管理項目のうち少なくとも１つの管理項目に関する評価基準を、前記取得情報データベース部に蓄積されている前記生体情報および前記行動情報のうち、当該管理項目において評価される生体情報および行動情報とは異なる他の生体情報および他の行動情報の少なくとも一方に基づいて設定する、健康管理支援システム。
【請求項７】
利用者の健康管理を支援する健康管理支援システムにおいて、前記利用者によって操作可能に構成された端末コンピュータであって、
前記利用者の生体情報を検知する生体情報検知装置から近距離無線通信を介して前記生体情報を取得する生体情報取得部と、
前記利用者からの操作入力に基づいて、利用者の行動を示す行動情報を取得する行動情報取得部と、
前記生体情報取得部によって取得される前記生体情報、および、前記行動情報取得部によって取得される前記行動情報を、前記端末コンピュータとコンピュータネットワークを介してデータをやり取り可能に構成された管理サーバに、送信する端末情報送信部と、
所定期間に取得された前記生体情報および前記行動情報と、前記利用者の健康管理に関する複数の管理項目ごとに設定された評価基準とに基づいて前記管理サーバによって選定された、前記複数の管理項目ごとに前記所定期間における前記利用者による健康管理に対する取り組みを評価する評価メッセージを、前記管理サーバの指示に応じて表示する評価表示部と
を備え、
前記複数の管理項目のうち少なくとも１つの管理項目に関する評価基準は、前記取得情報データベース部に蓄積されている前記生体情報および前記行動情報の少なくとも一方に基づいて設定される、端末コンピュータ。
【請求項８】
利用者の健康管理を支援する健康管理支援システムにおいて、利用者によって操作可能に構成された端末コンピュータとコンピュータネットワークを介してデータをやり取り可能に構成された管理サーバであって、
前記利用者の生体情報を検知する生体情報検知装置から近距離無線通信を介して前記端末コンピュータによって取得された前記生体情報、および、前記利用者からの操作入力に基づいて前記端末コンピュータによって取得された利用者の行動を示す行動情報を、前記コンピュータネットワークを介して前記端末コンピュータから取得する情報取得部と、
前記情報取得部によって取得された前記生体情報および前記行動情報を蓄積する取得情報データベース部と、
前記利用者の健康管理に関する複数の管理項目ごとに評価基準を設定する評価基準設定部と、
前記取得情報データベース部に蓄積されている所定期間に取得された前記生体情報および前記行動情報と、前記複数の管理項目ごとの前記評価基準とに基づいて、前記複数の管理項目ごとに前記所定期間における前記利用者による健康管理に対する取り組みを評価する評価メッセージを選定する評価選定部と、
前記複数の管理項目ごとの前記評価メッセージを前記利用者が認識可能に、前記複数の管理項目ごとの前記評価メッセージの表示を前記端末コンピュータに対して指示する表示指示部と
を備え、
前記評価基準設定部は、前記複数の管理項目のうち少なくとも１つの管理項目に関する評価基準を、前記取得情報データベース部に蓄積されている前記生体情報および前記行動情報の少なくとも一方に基づいて設定する、管理サーバ。
【手続補正２】
【補正対象書類名】明細書
【補正対象項目名】００１１
【補正方法】変更
【補正の内容】
【００１１】
（５）上述の健康管理支援システムにおいて、前記複数の管理項目は、前記生体情報および前記行動情報が記録された記録頻度を管理する第１の管理項目と；前記利用者の歩数を管理する第２の管理項目と；前記利用者の身体活動量を管理する第３の管理項目と；前記利用者の食生活を管理する第４の管理項目と；前記利用者の体重を管理する第５の管理項目と；前記利用者の血圧を管理する第６の管理項目と；前記複数の管理項目のうち他の管理項目を総合的に管理する第７の管理項目との少なくとも２つの管理項目を含んでもよい。この形態の健康管理支援システムによれば、利用者による健康管理として２型糖尿病の予防および治療に対する取り組みを評価できる。
【手続補正書】
【提出日】平成30年11月28日(2018.11.28)
【手続補正１】
【補正対象書類名】特許請求の範囲
【補正対象項目名】全文
【補正方法】変更
【補正の内容】
【特許請求の範囲】
【請求項１】
利用者の健康管理を支援する健康管理支援システムであって、
前記利用者によって操作可能に構成された端末コンピュータと、
前記端末コンピュータとコンピュータネットワークを介してデータをやり取り可能に構成された管理サーバと
を備え、
前記端末コンピュータは、
前記利用者の生体情報を検知する生体情報検知装置から近距離無線通信を介して前記生体情報を取得する生体情報取得部と、
前記利用者からの操作入力に基づいて、利用者の行動を示す行動情報を取得する行動情報取得部と、
前記生体情報取得部によって取得される前記生体情報、および、前記行動情報取得部によって取得される前記行動情報を、前記管理サーバに送信する端末情報送信部と
を含み、
前記管理サーバは、
前記端末コンピュータから送信される前記生体情報および前記行動情報を蓄積する取得情報データベース部と、
前記利用者の健康管理に関する複数の管理項目ごとに評価基準を設定する評価基準設定部と、
前記取得情報データベース部に蓄積されている所定期間に取得された前記生体情報および前記行動情報と、前記複数の管理項目ごとの前記評価基準とに基づいて、前記複数の管理項目ごとに前記所定期間における前記利用者による健康管理に対する取り組みを評価する評価メッセージを選定する評価選定部と、
前記複数の管理項目ごとの前記評価メッセージを前記利用者が認識可能に、前記複数の管理項目ごとの前記評価メッセージの表示を前記端末コンピュータに対して指示する表示指示部と
を含み、
前記管理サーバの前記評価基準設定部は、前記複数の管理項目のうち少なくとも１つの管理項目に関する評価基準を、前記取得情報データベース部に蓄積されている前記生体情報および前記行動情報の少なくとも一方に基づいて設定する、健康管理支援システム。
【請求項２】
請求項１に記載の健康管理支援システムであって、
前記管理サーバの前記評価選定部は、前記取得情報データベース部に蓄積されている所定期間に取得された前記生体情報および前記行動情報と、前記複数の管理項目ごとの前記評価基準とに基づいて、前記複数の管理項目ごとに前記評価メッセージを選定するとともに、前記複数の管理項目ごとに前記評価メッセージに応じたキャラクタ画像を選定し、
前記管理サーバの前記表示指示部は、前記複数の管理項目ごとの前記評価メッセージおよび前記キャラクタ画像を前記利用者が認識可能に、前記複数の管理項目ごとの前記評価メッセージおよび前記キャラクタ画像の表示を前記端末コンピュータに対して指示する、健康管理支援システム。
【請求項３】
請求項１または請求項２に記載の健康管理支援システムであって、
前記生体情報取得部に前記生体情報を提供する前記生体情報検知装置は、体組成計、血圧計および活動量計の少なくとも一つを含む、健康管理支援システム。
【請求項４】
請求項１から請求項３までのいずれか一項に記載の健康管理支援システムであって、
前記行動情報取得部によって取得される前記行動情報は、前記利用者による食生活の行動を示す情報を含む、健康管理支援システム。
【請求項５】
請求項１から請求項４までのいずれか一項に記載の健康管理支援システムであって、
前記複数の管理項目は、
前記生体情報および前記行動情報が記録された記録頻度を管理する第１の管理項目と、
前記利用者の歩数を管理する第２の管理項目と、
前記利用者の身体活動量を管理する第３の管理項目と、
前記利用者の食生活を管理する第４の管理項目と、
前記利用者の体重を管理する第５の管理項目と、
前記利用者の血圧を管理する第６の管理項目と、
前記複数の管理項目のうち他の管理項目を総合的に管理する第７の管理項目と
の少なくとも２つの管理項目を含む、健康管理支援システム。
【請求項６】
請求項１から請求項４までのいずれか一項に記載の健康管理支援システムであって、
前記管理サーバの前記評価基準設定部は、前記複数の管理項目のうち少なくとも１つの管理項目に関する評価基準を、前記取得情報データベース部に蓄積されている前記生体情報および前記行動情報のうち、当該管理項目において評価される生体情報および行動情報とは異なる他の生体情報および他の行動情報の少なくとも一方に基づいて設定する、健康管理支援システム。
【請求項７】
利用者の健康管理を支援する健康管理支援システムにおいて、利用者によって操作可能に構成された端末コンピュータとコンピュータネットワークを介してデータをやり取り可能に構成された管理サーバであって、
前記利用者の生体情報を検知する生体情報検知装置から近距離無線通信を介して前記端末コンピュータによって取得された前記生体情報、および、前記利用者からの操作入力に基づいて前記端末コンピュータによって取得された利用者の行動を示す行動情報を、前記コンピュータネットワークを介して前記端末コンピュータから取得する情報取得部と、
前記情報取得部によって取得された前記生体情報および前記行動情報を蓄積する取得情報データベース部と、
前記利用者の健康管理に関する複数の管理項目ごとに評価基準を設定する評価基準設定部と、
前記取得情報データベース部に蓄積されている所定期間に取得された前記生体情報および前記行動情報と、前記複数の管理項目ごとの前記評価基準とに基づいて、前記複数の管理項目ごとに前記所定期間における前記利用者による健康管理に対する取り組みを評価する評価メッセージを選定する評価選定部と、
前記複数の管理項目ごとの前記評価メッセージを前記利用者が認識可能に、前記複数の管理項目ごとの前記評価メッセージの表示を前記端末コンピュータに対して指示する表示指示部と
を備え、
前記評価基準設定部は、前記複数の管理項目のうち少なくとも１つの管理項目に関する評価基準を、前記取得情報データベース部に蓄積されている前記生体情報および前記行動情報の少なくとも一方に基づいて設定する、管理サーバ。